(57)【要約】【課題】多種の用途に便利に使用でき、作業時間を節約できる清潔工具を提供する。【解決手段】清潔液を充填する収納空間２１１を備え、表面に凹陥部２１２及び開口２１３が設けられ、開口２１３が収納空間２１１に連通する本体２１、汲み取りユニット２２１、カバー２２２及びノズル部２２３を含む。ノズル部２２３はカバー２２２を貫通して汲み取りユニット２２１と連接し、カバー２２２は開口に蓋をするように固定されている。汲み取りユニット２２１は収納空間２１１に収納されて清潔液の汲み取りに用いられ、ノズル部２２３は本体２１の外へ露出し、清潔液をスプレーするスプレーノズル２２と、第一側面２３２は活動的に凹陥部２１２に貼り付けられ、かつ第一側面２３２に対応する第二側面２３３は凹陥部２１２の外へ突き出ている拭き取り部材２３とを備える。【選択図】図１
0003158342.tif 000002
【実用新案登録請求の範囲】
【請求項１】
清潔液を充填するための収納空間を備え、表面に凹陥部、及び、前記収納空間に連通する開口が設けられる本体と、
汲み取りユニット、蓋体及びノズル部を含み、前記ノズル部は前記蓋体を貫通して前記汲み取りユニットと連接し、前記蓋体は開口に蓋をするように固定され、前記汲み取りユニットは前記収納空間に収納されて前記清潔液の汲み取りに用いられ、前記ノズル部は前記本体の外へ露出し、前記汲み取りユニットが汲み取った前記清潔液をスプレーすることが可能なスプレーノズルと、
可動的に前記本体の前記凹陥部に貼り付けられる第一側面、及び前記第一側面に対応し前記凹陥部の外へ突き出ている第二側面を有する拭き取り部材とを備えることを特徴とする清潔工具。
【請求項２】
前記本体の底部周囲には第一嵌め付け部材が設けられ、かつ前記清潔工具には更に嵌め環が含まれ、前記嵌め環には第二嵌め付け部材が設けられ、かつ前記第一嵌め付け部材と互いに嵌め合わされることが可能であり、それによって、前記嵌め環は前記本体に固定され、前記本体の底面に前記凹陥部が形成されていることを特徴とする請求項１記載の清潔工具。
【請求項３】
さらにカバーを備え、
前記カバーの一側面に収納槽が設けられ、前記収納槽は前記拭き取り部材の前記第二側面を収納可能であり、かつ前記拭き取り部材の前記第二側面を完全に遮蔽することを特徴とする請求項１または請求項２記載の清潔工具。
【請求項４】
前記カバーの前記収納槽に近隣する一側面の辺縁は、前記凹陥部の内側辺縁と緊密に接触することを特徴とする請求項３記載の清潔工具。
【請求項５】
握り部を備え、前記握り部は前記本体と一体に形成されていることを特徴とする請求項４記載の清潔工具。
【請求項６】
前記拭き取り部材と前記凹陥部には、それぞれ少なくとも一組の互いに貼り合わせ剥がせる布が設けられていることを特徴とする請求項５記載の清潔工具。
【考案の詳細な説明】
【技術分野】
【０００１】
本考案は、清潔工具に関する。
【背景技術】
【０００２】
日常的環境の清潔を維持するため、清潔作業は、人々の生活の中に於いて避けられない活動であり、清潔用工具も人々の欠如できない用具である。現在一般の従来の清潔工具、例えば、箒、モップ（mop）、雑巾等はともに単一機能であり、人々が清潔作業を行う場合、往々に需要に応じて機能の違う清潔工具を入れ替えて使用し、違うエリアまたは品物が需要とする清潔方式を満足する。現にコンピュータ（computer）のケーシング（casing）の清潔作業を例として説明すると、使用者が一般従来の方式によってコンピュータのケーシングの清潔作業を行う場合、先ず清潔液の瓶と雑巾を準備し、清潔液をコンピュータのケーシングにスプレーしてから雑巾で拭き、この動作を数回繰り返す。この従来の方式の清潔作業過程に於いて、使用者は、通常、片手でコンピュータのケーシングを掴み持ち、別の手で雑巾を持ち、清潔液に覆われたコンピュータの表面の拭きぬぐいを行う。使用者が再び清潔液をスプレーする場合、再び清潔液の瓶を探して取り上げなければならず、使用者は常に清潔液の瓶を身近で取りやすい位置に置かなければならないので、不注意によって使用者はそれを押し倒し、または、けり倒し、環境を汚染してしまう。また、雑巾と清潔液の瓶は別々であるので、清潔作業が終わると、使用者は、通常、雑巾と清潔液の瓶を別々に収納する。これは、使用者が次の清潔作業時に時間を費やし、雑巾と清潔液の瓶を探さなければならないことを導いてしまい、使用者に大きな困りごとを生じる。
【考案の概要】
【考案が解決しようとする課題】
【０００３】
前述をまとめると、従来の雑巾及び清潔工具はともに多くの欠点が存在し、使用者の困りごと及び清潔効果の不良になるので、如何にして前述問題を解決することができる清潔工具を設計し、清潔液が使用者の手を傷害することを避け、収納及び取り出しを便利にし、清潔液の瓶の転倒による環境の汚染を減らすかが、本考案がここで早急に検討したい重要な課題となっている。
【０００４】
従来の清潔工具に取り扱い及び収納の不便、清潔液の瓶が転倒しやすいまたは滑り落ちる等多くの欠点が存在することに鑑み、考案者は長期間の努力研究と実験を経て、遂に本考案の清潔工具を開発設計した。
本考案の目的は、拭き取り部材と清潔液を入れる本体とを一体に整合し、清潔液を品物の表面にスプレー（spray）し、同時に直ちに品物の表面を拭くことができ、多種の用途に便利に使用でき、作業時間を節約できる清潔工具を提供することにある。
【課題を解決するための手段】
【０００５】
本考案は、本体、スプレーノズル（nozzle）及び拭き取り部材を含む。本体にはある決まった量の清潔液を収納するための収納空間を備え、本体の表面には凹陥部及び開口が設けられている。スプレーノズルは、汲み取りユニット（unit）、蓋体（cover）及びノズル部を含む。ノズル部は蓋体を貫通して汲み取りユニットと連接し、蓋体は開口に蓋をするように固定されている。それによって、汲み取りユニットは、収納空間に伸び入って清潔液を汲み取ることができる。ノズル部は本体の外に露出し、拭き取り部材の第一側面は活動的に凹陥部に貼り付け定位され、かつ拭き取り部材の第一側面に対応する第二側面は凹陥部の外へ突き出している。このように、使用者が開口を経由して清潔液を本体の収納空間に注入した後、スプレーノズルをプッシュ（push）することによって、清潔液を汲み取りユニットで汲み取り、ノズル部を経由して品物の表面にスプレーすることができる。それと同時に、使用者は拭き取り部材の第二側面をもって直ちに清潔液に覆われた表面を拭くことができ、それは同時に清潔液及び拭き取り部材を取って使い、使用者が清潔作業に費やす時間を節約するだけでなく、同時に清潔液及び拭き取り部材を置く空間を縮減することができる。かつ清潔にしたい品物の異なる表面及び汚れの程度に合わせて使用者に用途の違う多種の清潔液及び拭き取り部材の使用を便利にし、徹底的に汚れを清潔にし、及び使用者の時間を節約する効果を達成する。
【図面の簡単な説明】
【０００６】
【図１】本考案の第一実施形態による清潔工具を示す模式図である。
【図２】本考案の第二実施形態による清潔工具を示す模式図である。
【考案を実施するための形態】
【０００７】
審査委員各位に本考案の目的、技術特徴及び効果について更に認識及び了解していただくため、ここに実施形態を取り上げ、図面と合わせて次の如く詳細説明する。
（第一実施形態）
本考案は、品物表面の汚れを清潔にするために用いられる清潔工具に関するものである。図１の本考案の第一実施形態による清潔工具に示すように、清潔工具２０は、本体２１、スプレーノズル２２及び拭き取り部材２３を含む。本体２１は、ある一定量の清潔液を収納するための収納空間２１１を備え、本体２１の表面には凹陥部２１２及び開口２１３が設けられている。開口２１３は本体２１の上端に設けられ、スプレーノズル２２は汲み取りユニット２２１、蓋体２２２及びノズル部２２３を含む。ノズル部２２３は蓋体２２２を貫通して汲み取りユニット２２１と互いに連接し、蓋体２２２は開口２１３に蓋体をするように固定され、それによって、汲み取りユニット２２１は収納空間２１１に伸び入って清潔液を汲み取ることができる。ノズル部２２３は本体２１の外に露出し、拭き取り部材２３の第一側面２３２は活動的に本体２１の凹陥部２１２に貼り付いて定位し、拭き取り部材２３の第一側面２３２に対応する第二側面２３３は凹陥部２１２の外へ突き出ている。このように、使用者が開口２１３を経由して清潔液を本体２１の収納空間２１１に注入した後、スプレーノズル２２をプッシュすることを通じて、清潔液を汲み取りユニット２２１で汲み取り、ノズル部２２３を経由して品物の表面（例えば、スクリーン（screen）または机の表面）にスプレーすることができる。それと同時に、使用者は拭き取り部材２３上の凹陥部２１２から突き出た第二側面２３３をもって直ちに清潔液に覆われた表面の拭きぬぐいを行うことができる。このように、それは、同時に清潔液及び拭き取り部材２３を取って使うことができ、使用者が清潔作業に費やす時間を節約するだけでなく、同時に清潔液及び拭き取り部材２３の据え置き空間を縮減することができる。かつ清潔にしたい品物の異なる表面及び汚れの程度に合わせて使用者に多種用途の違う清潔液及び拭き取り部材２３の使用を便利にし、徹底的に汚れを清潔にし、及び使用者の時間を節約する効果が達成される。
【０００８】
図１に示すように、第一実施形態に於いて、清潔工具２０は、なおカバー２４を含む。カバー２４は、凹陥部２１２の中に嵌め込まれて凹陥部２１２と互いに嵌め付け接合し、かつ一側面に収納槽２４１が設けられている。収納槽２４１は丁度よく拭き取り部材２３の第二側面２３３を収納固定することができ、かつ拭き取り部材２３の第一側面２３２は収納槽２４１の外へ突き出ている。このように、使用者は、便利に本体２１の凹陥部２１２から拭き取り部材２３及びカバー２４を取り出すことができ、並びにカバー２４を手持ち、拭き取り部材２３の第一側面２３２をもって品物表面の拭きぬぐいを行う。使用者は、清潔作業が終わると、拭き取り部材２３の第一側面２３２を凹陥部２１２の中に置き入れ、並びにカバー２４を凹陥部２１２の中に嵌め込む。カバー２４は拭き取り部材２３に完全にカバー被さり、カバー２４の収納槽２４１に近隣する一側面の縁と凹陥部２１２の内側縁は緊密に付け合わされる。それによって、凹陥面２１２を閉鎖し、清潔工具２０が収納されるときに空気中の塵埃が拭き取り部材２３に付着し、清潔工具２０の清潔効果に影響することを防止する。
【０００９】
（第二実施形態）
図２に示すように、本考案の第二実施形態による清潔工具は、本体３１の底面周囲に第一嵌め付け部材３１４が設けられ、かつ清潔工具３０には更に嵌め環３５が含まれている。嵌め環３５は第二嵌め付け部材３５１を含み、第二嵌め付け部材３５１は嵌め環３５の周囲内側に設けられ、かつ第一嵌め付け部材３１４と互いに嵌め合わせることができる。それによって、嵌め環３５を本体３０の底面３１６に固定することができる。このように、本体３１と嵌め環３５の嵌め付けを通じて、本体３１の底面３１６に拭き取り部材３３を収納する凹陥面３１２が形成されている。拭き取り部材３３の第一側面２３２は凹陥部３１２に貼り付け固定され、かつ拭き取り部材３３の第一側面２３２に対応する第二側面３３３は本体３１の凹陥部３１２の外へ突き出る。
【００１０】
図２に示すように、第二実施形態に於いて、清潔工具３０は、なおカバー３４を含む。カバー３４の一側面に収納槽３４１が設けられ、収納槽３４１は丁度よく拭き取り部材３３の第二側面３３３を収納することができる。このように、使用者は、清潔作業を完了したら、カバー３４を用いて拭き取り部材３３の第二側面３３３に完全に覆い被せ、清潔工具３０が収納されるときに空気中の塵埃が拭き取り部材３３に付着し、清潔工具３０の清潔効果に影響することを防止する。
図２に示すように、第二実施形態に於いて、本体３１は、更に手持ち部３１５を含む。手持ち部３１５と本体３１は一体成型され、使用者は手持ち部３１５を持つことによって、清潔工具３０の使用が便利になる。
【００１１】
また、図２に示すように、第二実施形態に於いて、拭き取り部材３３の第二側面３３３とカバー３４の収納槽３４１との間には粘着性のある接合層（本実施形態では両面接着テープ（tape）または粘着テープ）が設けられている。それによって、拭き取り部材３３の第二側面３３３は、収納槽３４１内に堅固に粘着される。ところが、本考案のその他の実施形態に於いて、拭き取り部材３３の第二側面３３３と収納槽３４１との間、または、拭き取り部材３３の第一側面３３２と凹陥部３１２との間には更に互いに吸引する一組の磁石、磁石と鉄片、または、互いに貼り合わせ剥がせる布等が設けられている。それによって、拭き取り部材３３の第二側面３３３と収納槽３４１との間、または、拭き取り部材３３の第一側面３３２と凹陥部３１２との間が互いに粘着されたら、両者間にそれぞれ設置された磁石、鉄片または貼り合わせ剥がせる布は互いに吸引または互いに粘着する効果を発揮する。それによって、拭き取り部材３３と収納槽３４１との間、または、拭き取り部材３３と凹陥部３１２との間は単なる両者間の粘着方式の接合だけでなく、より堅固に貼り付けられるので、ここで先に説明する。
以上に述べたのは、本考案の最適具体的実施形態であり、本考案の技術特徴はこれに局限されず、およそ如何なるこの技術を熟知するものが本考案の領域に於いて、軽易に思い及べる変化または改修はすべて実用新案登録請求の範囲内に含まれるべきである。
【符号の説明】
【００１２】
２０：清潔工具、２１：本体、２２：スプレーノズル、２３：拭き取り部材、２４：カバー、３０：清潔工具、３１：本体、３３：拭き取り部材、３４：カバー、３５：嵌め環、２１１：収納空間、２１２：凹陥部、２１３：開口、２２１：汲み取りユニット、２２２：蓋体、２２３：ノズル部、２３２：第一側面、２３３：第二側面、２４１：収納槽、３１２：凹陥部、３１４：第一嵌め付け部材、３１５：手持ち部、３１６：底面、３３２：第一側面、３３３：第二側面、３４１：収納槽、３５１：第二嵌め付け部材
【図１】
0003158342.tif 000003
【図２】
0003158342.tif 000004